(57)【要約】【課題】人検知の誤判定が発生するような場合でも、作業負担を増大させることなく、空間の照明機器を安定的かつ効率的に制御する。【解決手段】喪失位置検出部１５が、喪失位置で人の存在が検知されなくなってから一定の再検知判定期間内に、当該喪失位置で人の存在が再検知されたか否かを確認し、照明制御部１６が、喪失位置検出部１５により再検知が確認された場合、ディレイ時間を予め設定されている時間だけ延長する。【選択図】  図１
2020035590.tif 000002
【特許請求の範囲】
【請求項１】
制御対象となる空間から検出した熱画像に基づいて前記空間内に存在する人を検知し、得られた人検知結果に基づいて前記空間内に設置されている照明機器を点消灯制御する照明制御装置であって、
前記人検知結果に基づいて前記空間内における人の移動を追跡し、人の存在が検知されなくなった喪失位置を検出する喪失位置検出部と、
前記人検知結果に基づき当該空間の照明機器を点消灯制御する際、予め設定されているディレイ時間だけ前記点消灯制御を遅延させる照明制御部とを備え、
前記喪失位置検出部は、前記喪失位置で人の存在が検知されなくなってから一定の再検知判定期間内に、当該喪失位置で人の存在が再検知されたか否かを確認し、
前記照明制御部は、前記喪失位置検出部により前記再検知が確認された場合、前記ディレイ時間を予め設定されている時間だけ延長する
ことを特徴とする照明制御装置。
【請求項２】
請求項１に記載の照明制御装置において、
前記喪失位置検出部は、前記人検知結果に基づいて追跡中の人が、過去に検出された任意の喪失位置で移動停止したか否かを確認し、
前記照明制御部は、前記喪失位置検出部により前記移動停止が確認された場合、前記ディレイ時間を予め設定されている時間だけ延長する
ことを特徴とする照明制御装置。
【請求項３】
制御対象となる空間から検出した熱画像に基づいて前記空間内に存在する人を検知し、得られた人検知結果に基づいて前記空間内に設置されている照明機器を点消灯制御する照明制御装置であって、
前記人検知結果に基づいて前記空間内における人の移動を追跡し、人の存在が検知されなくなった喪失位置を検出する喪失位置検出部と、
前記人検知結果に基づき当該空間の照明機器を点消灯制御する際、予め設定されているディレイ時間だけ前記点消灯制御を遅延させる照明制御部とを備え、
前記喪失位置検出部は、前記人検知結果に基づいて追跡中の人が、過去に検出された任意の喪失位置で移動停止するか否かを確認し、
前記照明制御部は、前記喪失位置検出部により前記移動停止が確認された場合、前記ディレイ時間を予め設定されている時間だけ延長する
ことを特徴とする照明制御装置。
【請求項４】
請求項１〜請求項３のいずれかに記載の照明制御装置において、
前記喪失位置検出部は、任意の喪失位置で一定期間内に一定数以上の人の存在が検知されなくなった場合、当該喪失位置における人検知結果に基づく前記ディレイ時間の延長は行わないことを特徴とする照明制御装置。
【請求項５】
制御対象となる空間から検出した熱画像に基づいて前記空間内に存在する人を検知し、得られた人検知結果に基づいて前記空間内に設置されている照明機器を点消灯制御する照明制御装置で用いられる照明制御方法であって、
喪失位置検出部が、前記人検知結果に基づいて前記空間内における人の移動を追跡し、人の存在が検知されなくなった喪失位置を検出する喪失位置検出ステップと、
照明制御部が、前記人検知結果に基づき当該空間の照明機器を点消灯制御する際、予め設定されているディレイ時間だけ前記点消灯制御を遅延させる照明制御ステップとを備え、
前記喪失位置検出ステップは、前記喪失位置で人の存在が検知されなくなってから一定の再検知判定期間内に、当該喪失位置で人の存在が再検知されたか否かを確認するステップを含み、
前記照明制御ステップは、前記喪失位置検出ステップにより前記再検知が確認された場合、前記ディレイ時間を予め設定されている時間だけ延長するステップを含む
ことを特徴とする照明制御方法。
【請求項６】
制御対象となる空間から検出した熱画像に基づいて前記空間内に存在する人を検知し、得られた人検知結果に基づいて前記空間内に設置されている照明機器を点消灯制御する照明制御装置で用いられる照明制御方法であって、
喪失位置検出部が、前記人検知結果に基づいて前記空間内における人の移動を追跡し、人の存在が検知されなくなった喪失位置を検出する喪失位置検出ステップと、
照明制御部が、前記人検知結果に基づき当該空間の照明機器を点消灯制御する際、予め設定されているディレイ時間だけ前記点消灯制御を遅延させる照明制御ステップとを備え、
前記喪失位置検出ステップは、前記人検知結果に基づいて追跡中の人が、過去に検出された任意の喪失位置で移動停止したか否かを確認するステップを含み、
前記照明制御ステップは、前記喪失位置検出ステップにより前記移動停止が確認された場合、前記ディレイ時間を予め設定されている時間だけ延長するステップを含む
ことを特徴とする照明制御方法。
【発明の詳細な説明】
【技術分野】
【０００１】
本発明は、施設に設置された複数の照明機器の点消灯を制御する照明制御技術に関する。
【背景技術】
【０００２】
ビルなどの規模の大きい建物では、人の在／不在にかかわらず、いつでもどこでも快適な空調環境に制御する、いわゆる全館空調が一般的であった、しかし、近年、省エネルギー志向が強まり、空間の中にいる在室者の位置を検知し、その在室者のいないエリアについては、空調や照明を停止させることにより、省エネルギーを実現する空調制御技術が導入されつつある。
【０００３】
空調制御技術の１つとして、照明制御技術がある。照明制御技術によれば、例えば壁や天井に取り付けた複数の赤外線センサで室内の熱画像（サーモグラフィ）を検出し、得られた熱画像のうちから人の表面温度を示す人領域を検索することにより在室者として検知し、在室者のいる空間やエリアに限定して快適な空調環境に制御し、在室者のいない空間やエリアについては、空調や照明を停止させることができる。
【０００４】
このような照明制御技術では、焦電型赤外線センサと呼ばれる、サーモパイル、サーミスタまたはポロメータタイプなどの赤外線検出素子を用いて、照明機器の照明エリアにおける人の存在有無を検知し、その人検知結果に基づいて照明機器を点消灯する技術が用いられている。これにより、照明エリアに存在する人が動いた場合、照度変化や熱移動が起こるという特性を利用し、照度変化や熱移動により検知された人検知結果に基づいて、照明機器が点消灯制御されることになる。
【０００５】
しかし、人検知結果に基づいて照明機器を単に点消灯した場合、例えば照明エリアの境界に人が存在しているようなケースでは、人の微妙な動きの影響で人検知結果が逐次変化するため、照明機器が明滅を繰り返すことがある。このような明滅が発生した場合、人に不快感を与えるだけでなく、照明機器の寿命を短縮してしまう原因にもなる。
【０００６】
従来、照明制御技術では、このような明滅の発生を抑制するため、ディレイ制御という技術が用いられている（例えば、特許文献１など参照）。ディレイ制御は、人の存在を検知した後に、その存在が検知できなくなった場合には、直ちに照明機器を消灯せず、人が検知できなくなった時点から所定のディレイ時間分だけ、照明機器の消灯を遅延させるものである。これにより、人の微妙な動きの影響で人検知結果が逐次変化するような場合でも、照明機器の点消灯の繰り返しが抑制されるため、室内を安定的に照明することができる。
【先行技術文献】
【特許文献】
【０００７】
【特許文献１】特開平０８−０９６９６７号公報
【発明の概要】
【発明が解決しようとする課題】
【０００８】
前述した照明制御技術では、赤外線検出素子を用いて人の存在有無を検知している場合、人が検知エリア内で動作せずに静止している場合や、その移動量が少ない場合には、人の動作に原因する温度変化を検知することが困難となる。このため、検知エリア内に人が存在するにも拘わらず、人がいないと判定される誤判定が発生し、照明機器が消灯されることになる。このような場合、利用者からのクレームに応じて、管理者がディレイ時間を延長するという対応をとることができる。例えば、例えば３分、５分、１０分などの複数種のディレイ時間を用意しておき、クレームに応じて管理者がディレイ時間を延長することが可能となる。
【０００９】
しかしながら、このような対応では、結果として最も長いディレイ時間が選択されることになるため、照明制御技術の当初の目的である省エネルギー効果を十分得ることができなくなるという問題点があった。また、管理者がクレームに応じてこまめにディレイ時間を調整することも考えられるが、管理者に対する作業負担が増加するという問題点があった。
【００１０】
本発明はこのような課題を解決するためのものであり、人検知の誤判定が発生するような場合でも、作業負担を増大させることなく、空間の照明機器を安定的かつ効率的に制御できる照明制御技術を提供することを目的としている。
【課題を解決するための手段】
【００１１】
このような目的を達成するために、本発明にかかる照明制御装置は、制御対象となる空間から検出した熱画像に基づいて前記空間内に存在する人を検知し、得られた人検知結果に基づいて前記空間内に設置されている照明機器を点消灯制御する照明制御装置であって、前記人検知結果に基づいて前記空間内における人の移動を追跡し、人の存在が検知されなくなった喪失位置を検出する喪失位置検出部と、前記人検知結果に基づき当該空間の照明機器を点消灯制御する際、予め設定されているディレイ時間だけ前記点消灯制御を遅延させる照明制御部とを備え、前記喪失位置検出部は、前記喪失位置で人の存在が検知されなくなってから一定の再検知判定期間内に、当該喪失位置で人の存在が再検知されたか否かを確認し、前記照明制御部は、前記喪失位置検出部により前記再検知が確認された場合、前記ディレイ時間を予め設定されている時間だけ延長するようにしたものである。
【００１２】
また、本発明にかかる上記照明制御装置の一構成例は、前記喪失位置検出部が、前記人検知結果に基づいて追跡中の人が、過去に検出された任意の喪失位置で移動停止したか否かを確認し、前記照明制御部は、前記喪失位置検出部により前記移動停止が確認された場合、前記ディレイ時間を予め設定されている時間だけ延長するようにしたものである。
【００１３】
また、本発明にかかる他の照明制御装置は、制御対象となる空間から検出した熱画像に基づいて前記空間内に存在する人を検知し、得られた人検知結果に基づいて前記空間内に設置されている照明機器を点消灯制御する照明制御装置であって、前記人検知結果に基づいて前記空間内における人の移動を追跡し、人の存在が検知されなくなった喪失位置を検出する喪失位置検出部と、前記人検知結果に基づき当該空間の照明機器を点消灯制御する際、予め設定されているディレイ時間だけ前記点消灯制御を遅延させる照明制御部とを備え、前記喪失位置検出部は、前記人検知結果に基づいて追跡中の人が、過去に検出された任意の喪失位置で移動停止するか否かを確認し、前記照明制御部は、前記喪失位置検出部により前記移動停止が確認された場合、前記ディレイ時間を予め設定されている時間だけ延長するようにしたものである。
【００１４】
また、本発明にかかる上記照明制御装置の一構成例は、前記喪失位置検出部が、任意の喪失位置で一定期間内に一定数以上の人の存在が検知されなくなった場合、当該喪失位置における人検知結果に基づく前記ディレイ時間の延長は行わないようにしたものである。
【００１５】
また、本発明にかかる照明制御方法は、制御対象となる空間から検出した熱画像に基づいて前記空間内に存在する人を検知し、得られた人検知結果に基づいて前記空間内に設置されている照明機器を点消灯制御する照明制御装置で用いられる照明制御方法であって、喪失位置検出部が、前記人検知結果に基づいて前記空間内における人の移動を追跡し、人の存在が検知されなくなった喪失位置を検出する喪失位置検出ステップと、照明制御部が、前記人検知結果に基づき当該空間の照明機器を点消灯制御する際、予め設定されているディレイ時間だけ前記点消灯制御を遅延させる照明制御ステップとを備え、前記喪失位置検出ステップは、前記喪失位置で人の存在が検知されなくなってから一定の再検知判定期間内に、当該喪失位置で人の存在が再検知されたか否かを確認するステップを含み、前記照明制御ステップは、前記喪失位置検出ステップにより前記再検知が確認された場合、前記ディレイ時間を予め設定されている時間だけ延長するステップを含むものである。
【００１６】
また、本発明にかかる照明制御方法は、制御対象となる空間から検出した熱画像に基づいて前記空間内に存在する人を検知し、得られた人検知結果に基づいて前記空間内に設置されている照明機器を点消灯制御する照明制御装置で用いられる照明制御方法であって、喪失位置検出部が、前記人検知結果に基づいて前記空間内における人の移動を追跡し、人の存在が検知されなくなった喪失位置を検出する喪失位置検出ステップと、照明制御部が、前記人検知結果に基づき当該空間の照明機器を点消灯制御する際、予め設定されているディレイ時間だけ前記点消灯制御を遅延させる照明制御ステップとを備え、前記喪失位置検出ステップは、前記人検知結果に基づいて追跡中の人が、過去に検出された任意の喪失位置で移動停止したか否かを確認するステップを含み、前記照明制御ステップは、前記喪失位置検出ステップにより前記移動停止が確認された場合、前記ディレイ時間を予め設定されている時間だけ延長するステップを含むものである。
【発明の効果】
【００１７】
本発明によれば、喪失位置における人の再検知あるいは移動停止に応じて、自動的にディレイ時間が延長されることになる。したがって、人検知の誤判定が発生するような場合でも、作業負担を増大させることなく、空間の照明機器を安定的かつ効率的に制御することが可能となる。
【図面の簡単な説明】
【００１８】
【図１】照明制御装置の構成を示すブロック図である。
【図２】喪失リストの構成例である。
【図３】ディレイ時間延長処理を示すフローチャートである。
【図４】ディレイ時間延長動作例（再検知）を示すタイミングチャートである。
【図５】ディレイ時間延長動作例（移動停止）を示すタイミングチャートである。
【発明を実施するための形態】
【００１９】
次に、本発明の一実施の形態について図面を参照して説明する。
［照明制御装置］
まず、図１を参照して、本実施の形態にかかる照明制御装置１０について説明する。図１は、照明制御装置の構成を示すブロック図である。
この照明制御装置１０は、全体として産業用のコントローラやサーバ装置などの情報処理装置からなり、制御対象となる空間Ｒに設置されている赤外線センサＳＰで検出した熱画像に基づいてＲ内に存在する人Ｕを検知し、得られた人検知結果に基づいてＲに設置されている照明機器Ｑを点消灯制御する装置である。
【００２０】
赤外線センサＳＰは、空間Ｒの天井や壁に配置された焦電型などの赤外線センサであり、一定時間ごとにＲの床面の熱画像を検出し、通信回線Ｌ１を介して照明制御装置１０へ送信する機能を有している。
照明機器Ｑは、空間Ｒの天井に設置された蛍光灯などの照明機器であり、通信回線Ｌ１を介した照明制御装置１０からの点灯制御に応じて、点灯／消灯する機能を有している。
なお、ＳＰは、照明機器Ｑごとに設けられる照明エリアの熱画像を検出できる位置に配置しておけばよく、ＳＰとＱの位置関係について特に制限はない。
【００２１】
照明制御装置１０は、主な機能部として、通信Ｉ／Ｆ部１１、熱画像取得部１２、記憶部１３、人検知部１４、喪失位置検出部１５、および照明制御部１６を備えている。これら機能部のうち、熱画像取得部１２、人検知部１４、喪失位置検出部１５、および照明制御部１６は、中央処理装置（ＣＰＵ）とプログラムとが協働することにより実現されている。
【００２２】
通信Ｉ／Ｆ部１１は、通信回線Ｌ１を介して赤外線センサＳＰおよび照明機器Ｑとデータ通信を行う機能を有している。
熱画像取得部１２は、通信Ｉ／Ｆ部１１で受信した赤外線センサＳＰからの熱画像を取得し、記憶部１３に保存する機能を有している。
【００２３】
記憶部１３は、ハードディスクや半導体メモリなどの記憶装置からなり、照明制御装置１０における照明制御処理に用いる各種処理情報やプログラムを記憶する機能を有している。記憶部１３で記憶する主な処理情報として、熱画像のほか喪失リストがある。
図２は、喪失リストの構成例である。ここでは、エントリを識別するＩＤごとに、喪失位置と喪失時刻が組として登録されている。喪失位置については、照明機器Ｑの照明エリアを識別するエリアＩＤを用いてもよく、空間Ｒ内に予め設定されている二次元座標系に基づく座標位置を用いてもよい。
【００２４】
人検知部１４は、記憶部１３に保存されている時系列の熱画像から得られた温度分布について、人の表面温度を示す人領域を検索する機能と、得られた検索結果に基づいて、空間Ｒ内における人の存在位置を検知し、人検知結果として出力する機能を有している。
【００２５】
喪失位置検出部１５は、人検知部１４で得られた人検知結果に基づいて空間Ｒ内における人の移動、すなわち位置座標の変化を追跡する機能と、追跡中の人の存在が検知されなくなった喪失位置と喪失時刻を検出して記憶部１３の喪失リストに記録する機能と、喪失位置で人の存在が検知されなくなってから一定の再検知判定期間内に、当該喪失位置で人の存在が再検知されるか否かを確認する機能と、任意の喪失位置で一定期間内に一定数以上の人の存在が検出されなくなった場合、当該喪失位置における人検知結果に基づく前記ディレイ時間の延長は行わず無効とする機能とを有している。
【００２６】
照明制御部１６は、人検知部１４で得られた人検知結果に基づいて空間Ｒ内に設置されている照明機器Ｑを点消灯制御する機能と、照明機器Ｑを消灯制御する際、記憶部１３に設定されているディレイ時間だけ、照明機器Ｑの消灯を遅延させる機能と、喪失位置検出部１５により再検知が確認された場合、ディレイ時間を予め設定されている時間だけ延長する機能とを有している。
【００２７】
［本実施の形態の動作］
次に、図３を参照して、本実施の形態にかかる照明制御装置１０の動作について説明する。図３は、ディレイ時間延長処理を示すフローチャートである。
照明制御装置１０は、熱画像取得部１２により新たな熱画像が取得されるごとに、図３のディレイ時間延長処理を実行する。
【００２８】
まず、人検知部１４は、熱画像取得部１２により記憶部１３に保存された新たな熱画像を取得して、空間Ｒ内における人の存在位置を検知し、人検知結果として出力する（ステップ１００）。
次に、喪失位置検出部１５は、得られた熱画像から空間Ｒ内に存在する人の移動を追跡し（ステップ１０１）、追跡中の人の存在が検知されなくなった喪失が発生したか確認する（ステップ１０２）。
【００２９】
ここで、損失発生が確認された場合（ステップ１０２：ＹＥＳ）、喪失位置検出部１５は、その喪失位置と喪失時刻とを記憶部１３の喪失リストに記録し（ステップ１０３）、後述するステップ１０４に移行する。また、損失発生が確認されなかった場合（ステップ１０２：ＮＯ）、喪失リストへの記録をスキップして、後述するステップ１０４に移行する。
【００３０】
この後、ステップ１０４において、喪失位置検出部１５は、喪失リストに記録されている任意の喪失位置で人が再検知されたか否か確認する（ステップ１０４）。
ここで、再検知が確認された場合（ステップ１０４：ＹＥＳ）、喪失位置検出部１５は、その再検知を確認した再検知時刻と当該喪失位置と対応する喪失時刻とを比較することにより、再検知時刻が喪失時刻から一定時間長を有する再検知判定期間内であるか確認する（ステップ１０５）。
【００３１】
ここで、再検知時刻が再検知判定期間内であることが確認された場合（ステップ１０５：ＹＥＳ）、任意の喪失位置で人の存在が検知されなくなってから再検知判定期間内に、当該喪失位置で人の存在が再検知されたことになるため、照明制御部１６は、ディレイ時間を予め設定されている時間だけ延長し（ステップ１０６）、一連のディレイ時間延長処理を終了する。
【００３２】
また、ステップ１０４において、いずれの喪失位置においても人が再検知されなかった場合や（ステップ１０４：ＮＯ）、ステップ１０５において、再検知時刻が再検知判定期間を超過していた場合（ステップ１０５：ＮＯ）、喪失位置検出部１５は、人検知結果に基づいて追跡中の人が、過去に検出された任意の喪失位置で移動停止したか否かを確認し（ステップ１０７）。
【００３３】
ここで、任意の喪失位置で人の移動停止が確認された場合（ステップ１０７：ＹＥＳ）、照明制御部１６は、ステップ１０６に移行して、ディレイ時間を予め設定されている時間だけ延長し（ステップ１０６）、一連のディレイ時間延長処理を終了する。
また、任意の喪失位置で人の移動停止が確認されなかった場合（ステップ１０７：ＮＯ）、ディレイ時間を延長することなく、一連のディレイ時間延長処理を終了する。
【００３４】
なお、図３では、再検知判定期間内における人の存在の再検知に応じてディレイ時間を延長する機能と、喪失位置における人の移動停止に応じてディレイ時間を延長する機能との両方を並行して実施する場合を例として説明したが、これに限定されるものではなく、いずれか一方のみを実施してもよい。
【００３５】
［動作例］
次に、図４を参照して、本実施の形態にかかるディレイ時間延長動作例について説明する。図４は、ディレイ時間延長動作例（再検知）を示すタイミングチャートである。ここでは、再検知判定期間内における人の存在の再検知に応じて、ディレイ時間をｔｄ１からｔｄ２に延長する場合を例として説明する。
【００３６】
図４に示すように、まず、時刻Ｔ１において、任意の照明エリアで人の存在が検知された場合、その照明エリアと対応する照明機器Ｑが点灯されるとともに、人の追跡が開始される。
この後の時刻Ｔ２において、同一照明エリアで人の存在が検出されなくなって、喪失が発生した場合、時刻Ｔ２におけるディレイ時間ｔｄ１だけ、照明機器Ｑの消灯タイミングが延長され、時刻Ｔ２＋ディレイ時間ｔｄ１に相当する時刻Ｔ３に、照明機器Ｑが消灯される。また、喪失が発生した喪失位置と喪失時刻Ｔ２とが喪失リストに記録される。
【００３７】
この後、時刻Ｔ４に、同一照明エリアで人の存在が再検知された場合、その再検知位置が喪失位置と一致し、かつ、再検知時刻Ｔ４が喪失時刻Ｔ２から時刻Ｔ５までの再検知判定期間Ｔｈ内に含まれる場合、ディレイ時間がｔｄ１からｔｄ２に延長される。
この後、時刻Ｔ６において、人の存在が検出されなくなった場合、時刻Ｔ６におけるディレイ時間ｔｄ２だけ、照明機器Ｑの消灯タイミングが延長され、時刻Ｔ６＋ディレイ時間ｔｄ２に相当する時刻Ｔ７に、照明機器Ｑが消灯される。
【００３８】
次に、図５を参照して、本実施の形態にかかる他のディレイ時間延長動作例について説明する。図５は、ディレイ時間延長動作例（移動停止）を示すタイミングチャートである。ここでは、喪失位置における人の移動停止に応じて、ディレイ時間をｔｄ１からｔｄ２に延長する場合を例として説明する。
【００３９】
図５に示すように、まず、時刻Ｔ１１において、任意の照明エリアで人の存在が検知された場合、その照明エリアと対応する照明機器Ｑが点灯されるとともに、人の追跡が開始される。
この後の時刻Ｔ１２において、同一照明エリアで人の存在が検出されなくなって、喪失が発生した場合、時刻Ｔ１２におけるディレイ時間ｔｄ１だけ、照明機器Ｑの消灯タイミングが延長され、時刻Ｔ１２＋ディレイ時間ｔｄ１に相当する時刻Ｔ１３に、照明機器Ｑが消灯される。また、喪失が発生した喪失位置と喪失時刻Ｔ１２とが喪失リストに記録される。
【００４０】
この後、時刻Ｔ１５に、同一照明エリアで人の存在が再検知された場合、その再検知位置が喪失位置と一致しても、再検知時刻Ｔ１５が喪失時刻Ｔ１２から時刻Ｔ１５までの再検知判定期間Ｔｈ外であるため、ディレイ時間はｔｄ１のままとなる。一方、その後、時刻Ｔ１６に追跡中の人の移動が停止し、その移動停止位置が喪失リストに記録されている任意の喪失位置と一致した場合、ディレイ時間がｔｄ１からｔｄ２に延長される。
この後、時刻Ｔ１７において、人の存在が検出されなくなった場合、時刻Ｔ１７におけるディレイ時間ｔｄ２だけ、照明機器Ｑの消灯タイミングが延長され、時刻Ｔ１７＋ディレイ時間ｔｄ２に相当する時刻Ｔ１８に、照明機器Ｑが消灯される。
【００４１】
なお、照明制御を照明機器Ｑの照明エリアごとに個別に実行する場合、照明エリアごとに個別のディレイ時間を適用することになる。したがって、喪失位置での人の存在の再検知に応じてディレイ時間を延長する場合、喪失位置が含まれる照明エリアと対応するディレイ時間を延長すればよい。この際、再検知判定時間についても、照明エリアにおける人の出入り状況に応じて、照明エリアごとに個別の再検知判定時間を用いてもよい。同じく、喪失位置での人の移動停止に応じてディレイ時間を延長する場合、移動停止位置が含まれる照明エリアと対応するディレイ時間を延長すればよい。
【００４２】
また、照明制御を空間Ｒ全体と実行する場合、空間Ｒ全体で同一のディレイ時間を適用することになる。したがって、喪失位置での人の存在の再検知に応じてディレイ時間を延長する場合も、喪失位置での人の移動停止に応じてディレイ時間を延長する場合も、空間Ｒ全体で同一のディレイ時間を延長することになる。
【００４３】
なお、延長したディレイ時間については、例えば夜中などの照明機器Ｑが消灯されている時刻の到来に応じて初期化してもよく、消灯後から一定期間経過した時点で初期化してもよい。
【００４４】
［本実施の形態の効果］
このように、本実施の形態は、喪失位置検出部１５が、喪失位置で人の存在が検知されなくなってから一定の再検知判定期間内に、当該喪失位置で人の存在が再検知されたか否かを確認し、照明制御部１６が、喪失位置検出部１５により再検知が確認された場合、ディレイ時間を予め設定されている時間だけ延長するようにしたものである。
【００４５】
これにより、喪失から再検知判定期間内に喪失位置で人が再検知された場合には、自動的にディレイ時間が延長されることになる。したがって、人検知の誤判定が発生するような場合でも、作業負担を増大させることなく、空間Ｒの照明機器Ｑを安定的かつ効率的に制御することが可能となる。
【００４６】
実際には、赤外線検出素子を用いて人の存在有無を検知している場合、人が動作せずに静止していることやその移動量が少ないことなどの要因により、人の存在が検知されなくなって照明機器Ｑが消灯制御される場合がある。このような場合には、その人が照明機器Ｑの消灯に応じて、立ち上がって動作したり、大きなジェスチャーを行うなどにより自己の存在をアピールするだけで、ディレイ時間を自動延長することが可能となる。
【００４７】
また、本実施の形態において、喪失位置検出部１５が、人検知結果に基づいて追跡中の人が、過去に検出された任意の喪失位置で移動停止したか否かを確認し、照明制御部１６が、喪失位置検出部１５により移動停止が確認された場合、ディレイ時間を予め設定されている時間だけ延長するようにしてもよい。
【００４８】
一般に、人検知の誤判定は何らかの要因で発生する。例えば、特定の人の在席位置で誤判定が発生する場合、その人の在席状態が人検知しにくい場合もある。また、任意の位置に太陽光や熱源などの外乱要因が存在する場合も考えられる。このように、誤判定の発生要因が位置的なものである、同一位置で誤判定が発生することになる。したがって、過去の喪失位置で人が移動停止した場合には、ディレイ時間を自動延長することにより、誤判定による消灯発生を抑制することが可能となる。
【００４９】
また、本実施の形態において、喪失位置検出部１５が、任意の喪失位置で一定期間内に一定数以上の人の存在が検出されなくなった場合、当該喪失位置における人検知結果に基づくディレイ時間の延長は行わないようにしてもよい。
これにより、空間Ｒの出入口で人の存在が検知されなくなって喪失が発生するような場合でも、誤ってディレイ時間が延長されることを回避することができる。
【００５０】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００５１】
１０…照明制御装置、１１…通信Ｉ／Ｆ部、１２…熱画像取得部、１３…記憶部、１４…人検知部、１５…喪失位置検出部、１６…照明制御部、ＳＰ…赤外線センサ、Ｑ…照明機器、Ｒ…空間、Ｕ…人、Ｌ１…通信回線、ｔｄ１，ｔｄ２…ディレイ時間、ｔｈ…再検知判定期間。
【図１】
2020035590.tif 000003
【図２】
2020035590.tif 000004
【図３】
2020035590.tif 000005
【図４】
2020035590.tif 000006
【図５】
2020035590.tif 000007